(57)【要約】【課題】旗が損傷しにくいようにする。【解決手段】第１側縁部１２ａ及び第２側縁部１２ｂを有し第１側縁部１２ａにおいて支柱に対して取り付けられる旗本体１１と、旗本体１１の第２側縁部１２ｂの下端部及び／又は上端部に対して取り付けられる補強材２０とを有する旗１０である。補強材２０は透視性を有している。【選択図】    図１
2004205820.tif 000002
【特許請求の範囲】
【請求項１】
一の側縁部及び他の側縁部を有し、前記一の側縁部において支柱に対して取り付けられる旗本体と、
前記旗本体の前記他の側縁部の下端部及び／又は上端部に対して取り付けられた補強材と
を有する旗。
【請求項２】
請求項１に記載の旗であって、
前記補強材が透視性を有するものである、旗。
【発明の詳細な説明】
【０００１】
【発明の属する技術分野】
本発明は、旗に関するものである。
【０００２】
【従来の技術】
従来、旗（旗本体）は布等によって長方形状に形成されている。
そして、その旗の一の側縁部には複数の支柱用ループが設けられており、その旗は、その支柱用ループにおいて、支柱に対して取り付けられる。
また、支柱の上端部には支柱と直角に上部支持部材が設けられ、それに対応して、旗の上縁部に複数の上部支持部材用ループが設けられている場合もある。その場合は、その旗は、その上部支持部材用ループにおいて、上部支持部材に対して取り付けられる。
【０００３】
【発明が解決しようとする課題】
ところで、旗は、特に屋外に設置される場合において、風によってはためく。このため、旗のうちの支柱側とは反対側の側縁部のうちの下部（角部）や上部（角部）が特に損傷してくる。旗が風によってはためく際に旗のうちの当該各部分（角部）が他の物体と接触する場合には、その損傷は顕著なものとなる。
【０００４】
そこで、本発明は、損傷しにくい旗を提供することを課題とする。
【０００５】
【課題を解決するための手段】
上記の課題を解決するために、請求項１に係る発明は、一の側縁部及び他の側縁部を有し、前記一の側縁部において支柱に対して取り付けられる旗本体と、前記旗本体の前記他の側縁部の下端部及び／又は上端部に対して取り付けられた補強材とを有する旗である。
【０００６】
この発明の旗では、旗本体のうちの支柱に対して取り付けられる側縁部とは反対側の側縁部の下端部及び／又は上端部に補強材が取り付けられているため、支柱に対して取り付けられて使用されて風等によってはためいたり、それによって他の物体と接触しても、当該部分が損傷することが防止される。
【０００７】
請求項２に係る発明は、請求項１に係る発明の旗であって、前記補強材が透視性を有するものである、旗である。
【０００８】
「透視性」とは、透明又は半透明であって、当該物体（この場合は、補強材）を通して、当該物体よりも向こう側の物体（この場合は、旗本体）が透けて見える性質のことをいう。
【０００９】
この発明の旗では、請求項１に係る発明の旗の作用効果に加えて、次の作用効果が得られる。
すなわち、補強材が透視性を有するため、旗本体のうちの補強材が取り付けられる部分に施された模様及び色彩が視認されることが阻害されることが防止される。
【００１０】
請求項１（及び請求項２）に係る発明において、「前記旗本体の前記他の側縁部の下端部及び／又は上端部に対して取り付けられた補強材」の代表例として、「前記旗本体の前記他の側縁部のうちの下端部及び／又は上端部のみに対して取り付けられた補強材」が考えられる。
なぜなら、当該他の側縁部のうち下端部や上端部以外の部分は損傷しにくいため、その部分は必ずしも補強材は不要だからである。
【００１１】
また、上述のうち、特に、「前記旗本体の前記他の側縁部のうちの下端部のみに対して取り付けられた補強材」が考えられる。なぜなら、特に、下端部が損傷しやすいからである。
【００１２】
【発明の実施の形態】
次に、本発明の複数の実施形態について図面に基づいて説明する。
図１〜図４に示すように、旗１０（１０Ａ，１０Ｂ）は、旗本体１１（１１Ａ，１１Ｂ）及び補強材２０（２０Ａ〜２０Ｃ）を有している。
【００１３】
図１に示すように、旗本体１１Ａは、布等によって形成されており、横長の長方形状に形成されている。
旗本体１１Ａは、第１側縁部１２ａ（一の側縁部）及び第２側縁部１２ｂ（他の側縁部）を有している。旗本体１１Ａの第１側縁部１２ａには、複数の支柱用ループ１３が設けられている。旗１０Ａ（旗本体１１Ａ）は、支柱用ループ１３において支柱３０に対して取り付けられる。
【００１４】
図２に示すように、旗本体１１Ｂは、布等によって形成されており、縦長の長方形状（帯状）に形成されている。
旗本体１１Ｂは、第１側縁部１２ａ（一の側縁部）及び第２側縁部１２ｂ（他の側縁部）を有している。旗本体１１の第１側縁部１２ａには、複数の支柱用ループ１３が設けられている。旗１０Ｂ（旗本体１１Ｂ）は、支柱用ループ１３において支柱３０に対して取り付けられる。
【００１５】
支柱３０には横棒状の上部支持部材４０が取り付けられている。旗本体１１Ｂの上縁部には、複数の上部支持部材用ループ１４が設けられている。旗１０Ｂ（旗本体１１Ｂ）は、上部支持部材用ループ１４において上部支持部材４０に対して取り付けられる。
【００１６】
図１〜図４に示すように、補強材２０（２０Ａ〜２０Ｃ）は、透明な合成樹脂の面状のもの（フィルム又はシート）によって形成されている。補強材２０は、折り曲げ線２５を中心に対称な形状をしている。
【００１７】
図１及び図２に示すように、補強材２０Ａは、折り曲げ線２５に沿って折り曲げられた状態でほぼＬ字状をしている。
図３に示すように、補強材２０Ｂは、折り曲げ線２５に沿って折り曲げられた状態で帯状をしている。
図４に示すように、補強材２０Ｃは、折り曲げ線２５に沿って折り曲げられた状態で、四半円（円形の１／４）をベースとし、その弧状部分がギザギザとされた形状を有している。
【００１８】
そして、図１〜図４に示すように、補強材２０（２０Ａ〜２０Ｃ）は、折り曲げ線２５に沿って折り曲げられ、旗本体１１（１１Ａ，１１Ｂ）の第２側縁部１２ｂの下端部の角部に対して、当該角部を挟むようにして取り付けられている。
すなわち、補強材２０のうち折り曲げ線２５を境に一方の側が旗本体１１の第２側縁部１２ｂの角部のおもて側に対して取り付けられ、補強材のうち折り曲げ線２５を境に他方の側が旗本体１１の第２側縁部１２ｂの角部の裏側に対して取り付けられている。
【００１９】
同様に、図１に示すように、補強材２０は、旗本体１１Ａの第２側縁部１２ｂの上端部の角部に対して取り付けられている場合もある。
【００２０】
補強材２０は、熱溶着，接着剤による接着，縫い付け糸による縫い付け等によって取り付けられる。接着剤は、少なくとも乾燥時に透視性を有するものが好適に使用される。
【００２１】
次に、上述の旗１０の作用効果について説明する。
旗１０は、風によってはためく。そして、それに伴って他の物体に接触する場合もある。
しかしながら、旗１０の第２側縁部１２ｂの下端部（及び上端部）の角部には、補強材２０が取り付けられているため、風によってはためいたり、それによって他の物体と接触しても、旗１０の当該角部が損傷することが防止される。
【００２２】
また、補強材２０は透視性を有しているため、旗本体１１に施された模様及び色彩が補強材２０を通して視認される。
【００２３】
なお、上記のものはあくまで本発明の一実施形態にすぎず、当業者の知識に基づいて種々の変更を加えた態様で本発明を実施できることはもちろんである。
例えば、旗本体の形状は長方形状に限らず、種々の形状が適用され得る。また、補強材の形状も上述のものに限らず、種々のものが適用され得る。
【図面の簡単な説明】
【図１】本発明の一の実施形態の旗を示す斜視図である。
【図２】本発明の他の実施形態の旗を示す斜視図である。
【図３】本発明の他の実施形態の旗の一部を示す斜視図である。
【図４】本発明の他の実施形態の旗の一部を示す斜視図である。
【符号の説明】
１０（１０Ａ，１０Ｂ）  旗
１１（１１Ａ，１１Ｂ）  旗本体
２０（２０Ａ，２０Ｂ，２０Ｃ）  補強材
１２ａ  第１側縁部（一の側縁部）
１２ｂ  第２側縁部（他の側縁部）
３０  支柱
【図１】
2004205820.tif 000003
【図２】
2004205820.tif 000004
【図３】
2004205820.tif 000005
【図４】
2004205820.tif 000006